(57)【要約】【課題】装置間距離を考慮して所定の閾値を定め、通信が保証される範囲をユーザに通知する双方向リモコン装置を提供する。【解決手段】ディジタルテレビジョン（D−ＴＶ）２０には、専用の双方向リモコン装置が付属しており、該双方向リモコン装置から信号を受信する受信部２１と、該双方向リモコン装置に信号を送信する送信部２２を備えている。D−ＴＶ２０は、どのようなメーカの製品でもよい。一方、双方向リモコン装置１は、複数種類のD−ＴＶのリモコンコードを記憶しており、それぞれに対しコマンド送信が可能な汎用の双方向リモコン装置である。双方向の無線通信のプロトコルは、例えば、IrDA  Control、IEEE 802,11b、又はIEEE 802,11aである。【選択図】  図１
2006339716.tif 000002
【特許請求の範囲】
【請求項１】
被制御装置を遠隔操作するための複数のキーが設けられた操作手段と、
前記操作手段の前記キーが押下されると、押下された該キーに応じたリモコンコードの信号を生成する信号生成手段と、を備える双方向リモコン装置において、
前記操作手段は、装置本体と前記被制御装置との通信が保証されるか否かを測定する通信保証判定キーを有し、
前記信号生成手段は、前記操作手段の前記通信保証判定キーが押下されると、前記被制御装置からの応答を要求する信号として、応答要求信号を生成し、
前記信号生成手段が生成する前記応答要求信号を送信してから、該応答要求信号に対する応答信号を受信するまでの時間を測定し、該時間から、前記装置本体と前記被制御装置との間の距離である装置間距離を算出する装置間距離測定手段と、
前記装置本体のバッテリ電圧と、該バッテリ電圧での通信を保証する装置間距離である通信保証装置間距離との対応関係を予め記憶させる記憶手段と、
前記操作手段の前記通信保証判定キーが押下されると、前記装置本体のバッテリ電圧を検出し、前記記憶手段の前記対応関係から該バッテリ電圧に対応する通信保証装置間距離を算出する通信保証距離測定手段と、
前記装置間距離測定手段が算出した前記装置間距離が、前記通信保証距離測定手段が算出した前記通信保証装置間距離以内であれば、操作範囲内である旨の表示をし、
前記判定手段が前記通信保証装置間距離以内でなければ、操作範囲外である旨の表示をする表示手段と、を備え、
前記記憶手段は、前記装置本体のバッテリ電圧に複数の領域を設定し、各領域と該領域での通信保証装置間距離とを組合せにして、前記対応関係を予め記憶し、
前記記憶手段は、複数種類の被制御装置のリモコンコードを記憶し、
前記記憶手段に記憶されているリモコンコードの中から、送信すべき被制御装置に対応するリモコンコードが設定されるコード設定手段を備え、
前記信号生成手段は、前記コード設定手段で設定された前記リモコンコードに応じた信号を生成する双方向リモコン装置。
【請求項２】
被制御装置を遠隔操作するための複数のキーが設けられた操作手段と、
前記操作手段の前記キーが押下されると、押下された該キーに応じたリモコンコードの信号を生成する信号生成手段と、を備える双方向リモコン装置において、
前記操作手段は、装置本体と前記被制御装置との通信が保証されるか否かを測定する通信保証判定キーを有し、
前記信号生成手段は、前記操作手段の前記通信保証判定キーが押下されると、前記被制御装置からの応答を要求する信号として、応答要求信号を生成し、
前記信号生成手段が生成する前記応答要求信号を送信してから、該応答要求信号に対する応答信号を受信するまでの時間を測定し、該時間から、前記装置本体と前記被制御装置との間の距離である装置間距離を算出する装置間距離測定手段と、
前記装置本体のバッテリ電圧と、該バッテリ電圧での通信を保証する装置間距離である通信保証装置間距離との対応関係を予め記憶させる記憶手段と、
前記操作手段の前記通信保証判定キーが押下されると、前記装置本体のバッテリ電圧を検出し、前記記憶手段の前記対応関係から該バッテリ電圧に対応する通信保証装置間距離を算出する通信保証距離測定手段と、
前記装置間距離測定手段が算出した前記装置間距離が、前記通信保証距離測定手段が算出した前記通信保証装置間距離以内であれば、操作範囲内である旨の表示をし、
前記判定手段が前記通信保証装置間距離以内でなければ、操作範囲外である旨の表示をする表示手段と、を備えた双方向リモコン装置。
【請求項３】
前記記憶手段は、前記装置本体のバッテリ電圧に複数の領域を設定し、各領域と該領域での通信保証装置間距離とを組合せにして、前記対応関係を予め記憶する請求項２に記載の双方向リモコン装置。
【請求項４】
前記記憶手段は、複数種類の被制御装置のリモコンコードを記憶し、
前記記憶手段に記憶されているリモコンコードの中から、送信すべき被制御装置に対応するリモコンコードが設定されるコード設定手段を備え、
前記信号生成手段は、前記コード設定手段で設定された前記リモコンコードに応じた信号を生成する請求項３または４に記載の双方向リモコン装置。
【発明の詳細な説明】
【技術分野】
【０００１】
本発明は、ハードディスク録画再生装置、ディジタルテレビ受像機などの被制御装置と双方向に通信する双方向リモコン装置に関するものである。
【背景技術】
【０００２】
双方向リモートコントロール装置（双方向リモコン装置）は、例えば赤外線の一周波帯を用いてそれぞれの機能に対応する設定されたパルス波（リモコンコード）を送信することで、ディジタルテレビ受像機などの被制御装置の動作を遠隔操作によって制御するものである。このパルス波は、装置本体のバッテリによってエネルギーが与えられ、送信される。
【０００３】
このような、双方向リモコン装置では、装置本体にLCD（Liquid  Crystal  Display）等の表示部が設けられており、被制御装置から被制御装置の動作モードを示す信号を受信することによって、その動作モードが表示されるようになっている。また、被制御装置がディジタルテレビ受像機であれば、ディジタルテレビ受像機から番組表を示す信号を受信することによって、その番組表が表示部に表示されるようになっている。
【０００４】
また、バッテリ電圧が所定の閾値を下回った場合、該所定の閾値以下ではリモコン操作を行っても通信が保証できないとして、上記表示部においてバッテリの交換をユーザに報知する。
【０００５】
上記「通信を保証できない」とは、適切に通信を行うことができないことを意味し、例えばリモコン操作をしても、信号が被制御装置まで到達しないといった事態が発生する。こうなると、ユーザはキー操作に過剰な力を加えたり、キー操作を繰り返してしまうようになり、キーの導電性が劣化するという問題が生じる。
【０００６】
一方、特許文献１に記載されたようなリモコン装置が提案されている。
【０００７】
このリモコン装置は、装置本体各部に動作電流を供給するバッテリと、操作スイッチと、前記操作スイッチの押下によって制御信号を生成し、これを送信する回路基板と、表示部と、を備える。
【０００８】
操作スイッチを操作した際にバッテリ電圧が所定の閾値より低い場合には、表示部においてバッテリ切れ予告を表示し、ユーザにバッテリ切れを予告する。
【特許文献１】特開２０００−３５４２７８公報
【発明の開示】
【発明が解決しようとする課題】
【０００９】
しかしながら、従来の双方向リモコン装置では、バッテリ電圧が所定の閾値を下回った場合に報知しているが、そもそも該所定の閾値は、双方向リモコン装置と被制御装置との間の距離である装置間距離によってその適正値が異なっている。
【００１０】
なぜなら、上記パルス波が送信されるときにバッテリからエネルギーを付与されるが、通信距離（装置間距離）が長くなるほど高いバッテリ電圧が必要とされるためである。逆に、通信距離（装置間距離）が短いほど低いバッテリ電圧でも構わない事になる。
【００１１】
よって、これを無視して所定の閾値を一定値に定めると、装置間距離によって以下の問題が生じる。
【００１２】
バッテリ電圧が所定の閾値になってバッテリ交換を報知しても、装置間距離が短ければ十分にリモコン操作が可能な場合もある。従って、まだ十分にリモコン操作が可能であるにもかかわらずバッテリ交換を報知し、バッテリを廃棄させることはエネルギーの無駄である。
【００１３】
一方、バッテリ電圧が所定の閾値以上あっても、通信距離（装置間距離）が長くなるほどリモコン操作のレスポンスが悪くなる（通信が保証されなくなる）。レスポンスが悪いと、ユーザはキー操作に過剰な力を加えたり、キー操作を繰り返してしまうようになり、キーの導電性が劣化するという問題が生じる。
【００１４】
また、特許文献１でも、所定の閾値を定めるに当って装置間距離が考慮されていないため、従来の双方向リモコン装置と同様の問題が生じる。
【００１５】
本発明はこのような従来の課題を解決しようとするものであり、装置間距離を考慮して所定の閾値を定め、通信が保証される範囲をユーザに通知する双方向リモコン装置を提供することを目的とする。
【課題を解決するための手段】
【００１６】
本発明の双方向リモコン装置は、前記課題を解決するために以下の構成を備えている。
（１）被制御装置を遠隔操作するための複数のキーが設けられた操作手段と、
前記操作手段の前記キーが押下されると、押下された該キーに応じたリモコンコードの信号を生成する信号生成手段と、を備える双方向リモコン装置において、
前記操作手段は、装置本体と前記被制御装置との通信が保証されるか否かを測定する通信保証判定キーを有し、
前記信号生成手段は、前記操作手段の前記通信保証判定キーが押下されると、前記被制御装置からの応答を要求する信号として、応答要求信号を生成し、
前記信号生成手段が生成する前記応答要求信号を送信してから、該応答要求信号に対する応答信号を受信するまでの時間を測定し、該時間から、前記装置本体と前記被制御装置との間の距離である装置間距離を算出する装置間距離測定手段と、
前記装置本体のバッテリ電圧と、該バッテリ電圧での通信を保証する装置間距離である通信保証装置間距離との対応関係を予め記憶させる記憶手段と、
前記操作手段の前記通信保証判定キーが押下されると、前記装置本体のバッテリ電圧を検出し、前記記憶手段の前記対応関係から該バッテリ電圧に対応する通信保証装置間距離を算出する通信保証距離測定手段と、
前記装置間距離測定手段が算出した前記装置間距離が、前記通信保証距離測定手段が算出した前記通信保証装置間距離以内であれば、操作範囲内である旨の表示をし、
前記判定手段が前記通信保証装置間距離以内でなければ、操作範囲外である旨の表示をする表示手段と、を備える。
【００１７】
この構成において、双方向の無線通信のプロトコルは、例えば、IrDA  Control、IEEE802,11b、又はIEEE802,11aである。また、被制御装置は、例えばハードディスク録画再生装置、ディジタルテレビ受像機である。
【００１８】
上記「通信を保証する」とは、適切に通信を行えることを意味し、例えばリモコン操作をしても、信号が被制御装置まで到達しないといった事態が発生しない。
【００１９】
上記対応関係は、装置本体のバッテリ電圧と、該バッテリ電圧で通信が保証される装置間距離（通信保証装置間距離）とを予め計測し、その計測結果をまとめたものである。この計測は、最大のバッテリ電圧から、装置本体各部を駆動するのに最低限必要なバッテリ電圧まで、例えばバッテリ電圧０，１V毎について行うと良い。
【００２０】
そして、上記対応関係は、装置本体を出荷する前に、記憶手段に予め記憶させる。
【００２１】
「操作範囲外である旨の表示」は、例えば「操作範囲外」、又は「もう少し近づけて下さい」の表示である。一方、「操作範囲内である旨の表示」は、例えば「操作範囲内」、又は「操作可能範囲」の表示である。
【００２２】
以上より、装置間距離を考慮して所定の閾値を定め、通信が保証される範囲をユーザに通知することができる。
【００２３】
そのため、装置間距離が短ければ十分にリモコン操作が可能である場合に、バッテリ交換を報知することがなくなる。従って、装置間距離が短ければまだ使用できるバッテリが廃棄されることがなくなり、エネルギーの無駄を防止できる。
【００２４】
また、装置間距離が長いためにキー操作のレスポンスが悪くなっても、ユーザは通信を保証する距離（通信保証装置間距離）まで装置本体を移動させれば該レスポンスを復活させることができる。そのため、ユーザがキー操作に過剰な力を加えたりすることがなくなり、キーの導電性が劣化するという問題も生じなくなる。
【００２５】
また、バッテリが低下してくると、ユーザはその低下にあわせて装置間距離を縮めていくことになるため、ユーザに体感的に電池交換を促すことができる。
（２）前記記憶手段は、前記装置本体のバッテリ電圧に複数の領域を設定し、各領域と該領域での通信保証装置間距離とを組合せにして、前記対応関係を予め記憶する。
【００２６】
この構成において、複数の領域は、例えば５領域である。上記（１）では、装置本体のバッテリ電圧と通信保証装置間距離とが１対１に対応していたが、ここでは、領域と通信保証装置間距離とが１対１に対応している。
【００２７】
通信保証装置間距離は、領域の内、最低レベルのバッテリ電圧で予め計測することにより定められる。
（３）前記記憶手段は、複数種類の被制御装置のリモコンコードを記憶し、
前記記憶手段に記憶されているリモコンコードの中から、送信すべき被制御装置に対応するリモコンコードが設定されるコード設定手段を備え、
前記信号生成手段は、前記コード設定手段で設定された前記リモコンコードに応じた信号を生成する。
【００２８】
被制御装置に付属されているリモコン装置は、通常、該被制御装置のみを操作できるようになっており、メーカが異なれば全く操作することができない。これは、周知のように、被制御装置では、メーカ毎に異なるリモコンコードが設定されているからである。
【００２９】
しかし、本発明のリモコン装置は上記構成を備えているため、ユーザに自己が所有する被制御装置のリモコンコードを設定させることにより、どのようなメーカの被制御装置でも操作が可能となる。
【発明の効果】
【００３０】
この発明によれば、まだ使用できるバッテリが廃棄されることがなくなり、エネルギーの無駄を防止できる。
【００３１】
また、キーの導電性が劣化するという問題も生じなくなる。
【発明を実施するための最良の形態】
【００３２】
以下、本発明の実施形態である双方向リモコン装置について説明する。
【００３３】
図１は、本発明の実施形態である双方向リモコン装置のシステム構成図である。
【００３４】
被制御装置であるディジタルテレビジョン（D−ＴＶ）２０には、専用の双方向リモコン装置が付属しており、該双方向リモコン装置から信号を受信する受信部２１と、該双方向リモコン装置に信号を送信する送信部２２を備えている。D−ＴＶ２０は、どのようなメーカの製品でもよい。
【００３５】
一方、双方向リモコン装置１は、複数種類のD−ＴＶのリモコンコードを記憶しており、それぞれに対しコマンド送信が可能な汎用の双方向リモコン装置である。
【００３６】
なお、双方向の無線通信のプロトコルは、例えば、IrDA  Control、IEEE 802,11b、又はIEEE 802,11aである。
【００３７】
図２は、本発明の実施形態である双方向リモコン装置のブロック図である。
【００３８】
双方向リモコン装置１は、装置本体を制御する制御部２と、操作手段である操作部３と、記憶手段であるＲＯＭ４と、コード設定手段であるメモリ５と、データを一時的に格納するＲＡＭ６と、信号を送信する送信部７と、信号を受信する受信部１０と、装置本体各部に動作電流を供給するバッテリ１１と、ユーザに伝達する内容を表示する表示部８と、を備えている。
【００３９】
制御部２は、例えばマイクロコンピュータから構成される。
【００４０】
ＲＯＭ４は、複数種類のD−ＴＶそれぞれのリモコンコードを記憶する。ＲＯＭ４は、メーカ毎にリモコンコードが分類されたテーブルであるリモコンコード表を記憶している。このリモコンコード表には、D−ＴＶ用として電源のオン／オフ用のリモコンコード、及びチャンネル番号を指定するリモコンコードなどを含んでいる。
【００４１】
また、ＲＯＭ４は、装置本体１（バッテリ１１）のバッテリ電圧と、通信保証装置間距離との対応関係を予め記憶する。通信保証装置間距離とは、バッテリ１１のバッテリ電圧と、該バッテリ電圧での通信を保証する装置間距離である。「通信を保証する」とは、適切に通信を行えることを意味し、例えばリモコン操作をしても、信号が被制御装置まで到達しないといった事態が発生しない。装置間距離とは、装置本体１とD−ＴＶ２０との間の距離である。
【００４２】
図３は、本発明の実施形態である双方向リモコン装置のバッテリ電圧と領域との関係を示す図であり、図４は、該バッテリ電圧が属する領域と通信保証装置間距離との関係を示す図である。
【００４３】
装置本体１（バッテリ１１）のバッテリ電圧は、図３に示すように、使用とともに、又は時間の経過とともに低下する。そして、該バッテリ電圧は、その低下の程度に併せて５つの領域（図３のA〜E）に分けられている。
【００４４】
上記対応関係は、バッテリ１１のバッテリ電圧と、該バッテリ電圧が属する領域の最低レベルのバッテリ電圧（図３参照）での通信保証装置間距離とを予め計測し（図４参照）、その計測結果をまとめたものである。「最低レベルのバッテリ電圧」とは、図３でいうと、Thresh１〜４および最低駆動電圧である。
【００４５】
つまり、ROM４は、バッテリ電圧と領域との関係を記憶するとともに（図３参照）、各領域と該領域での通信保証装置間距離とを組合せ（図４参照）にして、上記対応関係を記憶している。
【００４６】
なお、この実施形態では、領域と通信保証装置間距離とを１対１に対応させているが、バッテリ電圧と通信保証装置間距離とを１対１に対応させてもよい。この場合、対応関係は、装置本体のバッテリ電圧と、該バッテリ電圧で通信が保証される装置間距離（通信保証装置間距離）とを予め計測し、その計測結果をまとめる。この計測は、最大のバッテリ電圧から、装置本体各部を駆動するのに最低限必要なバッテリ電圧まで、例えばバッテリ電圧０，１V毎に行うと良い。
【００４７】
操作部３には、図１に示すように、通信保証判定キー９Ａを含む複数のキー９が設けられている。通信保証判定キー９Ａは、双方向リモコン装置１とD−ＴＶ２０との通信が保証されるか否かを測定するキーである。
【００４８】
また、ユーザに自己が所有するD−ＴＶ２０のリモコンコードを操作部３で設定操作させる。
【００４９】
表示部８は、図１に示すようなLCD（Liquid  Crystal  Display）８Aを備えている。LCD８Aには、該設定操作する際の操作内容等が表示され、ユーザは、LCD８Aを見ながら操作部３で設定操作を行うことが可能である。設定操作とは、リモコンコードを設定する操作のことを指す。
【００５０】
ＲＡＭ６は、操作部３で行われた設定操作を記憶し、操作が行われる度にその内容が更新されるので、最新の設定操作内容を記憶している。
【００５１】
メモリ５は、不揮発性のメモリから成り、記憶内容を更新可能である。メモリ５は、例えばＥＥＰＲＯＭから構成される。特に、フラッシュメモリを使用するとよい。
【００５２】
ユーザの上記設定操作により、メモリ５は、ＲＯＭ４に記憶されているリモコンコードの中から、送信すべきD−ＴＶ２０に対応するリモコンコードが設定される。図２では、メーカＢ社が設定されている。
【００５３】
以上により、制御部２は、押下されたキー９に応じて、メモリ５で設定されたメーカのリモコンコードをＲＯＭ４から読み出して信号を生成する。
【００５４】
送信部７は、制御部２から送られてきた電気信号を赤外光の信号に変換して、赤外ＬＥＤ７Ａから送信する（図１参照）。
【００５５】
一方、受信部１０は、D−ＴＶ２０の送信部２２から送られ、赤外ＬＥＤ１０Ａで受光した赤外光の信号を電気信号に変換して、制御部２に送信する（図１参照）。
【００５６】
ここで、制御部２が、本発明の「信号生成手段」「通信保証距離測定手段」に相当する。制御部２、および表示部８が、本発明の「表示手段」に相当する。制御部２、送信部７、および受信部１０が、本発明の「装置間距離測定手段」に相当する。
【００５７】
図５は、本発明の実施形態である双方向リモコン装置において制御部が行う動作を示すフローチャートである。この動作は、通信保証判定キー９Ａが押下された時の動作である。
【００５８】
通信保証判定キー９Ａが押下されると、制御部２は、D−ＴＶ２０からの応答を要求する信号として、応答要求信号を生成し（ｓ１）、該応答要求信号を送信部７から送信する（ｓ２）。ｓ２において送信部７に送信を指示すると即、制御部２は、時間を計測し始める（ｓ３）。時間を計測するのは、後述のｓ５において装置間距離を算出するためである。
【００５９】
D−ＴＶ２０は、応答要求信号を受信部２１で受信すると、伝送路（データリンク）を確立しようとするため、応答要求信号に対する応答として応答信号を送信部２２から送信する。この間、制御部２は、受信部１０で応答信号が受信されたか否か判定する（ｓ４）。
【００６０】
受信部１０で応答信号が受信されたと判定すると、制御部２は、装置間距離を算出する（ｓ５）。装置間距離の算出は、応答信号が受信された時間を測定し、ｓ３において時間を計測し始めてから応答信号を受信するまでの時間を求め、該時間から算出される。
【００６１】
制御部２は、装置本体１（バッテリ１１）のバッテリ電圧を検出し（ｓ６）、ROM４が記憶する上述の対応関係から、該バッテリ電圧に対応する通信保証装置間距離を算出する（ｓ７）。
【００６２】
ｓ７では、制御部２がｓ６において検出されたバッテリ電圧がどの領域（図３のA〜E参照）に属するかをまず判断する。そして、該バッテリ電圧が属する領域から通信保証装置間距離を算出する（図４参照）。例えば、ｓ６において検出されたバッテリ電圧がCの領域に属する場合（図３のA〜E参照）、ｓ７において算出される通信保証装置間距離は１００ｃｍである（図４参照）。
【００６３】
制御部２は、通信保証装置間距離がゼロであるか否か、つまりｓ６において検出されたバッテリ電圧が領域Eに属するか否かを判定する（ｓ８）。ｓ６において検出されたバッテリ電圧が領域Eに属すると判定すると、制御部２は、LCD８Aにおいて操作不可能である旨の表示をし（ｓ１４）、本処理を終了する。操作不可能である旨の表示は、例えば「バッテリを交換して下さい」の表示である。
【００６４】
一方、ｓ６において検出されたバッテリ電圧が領域Eに属さないと判定すると、制御部２は、装置間距離が通信保証装置間距離以内であるか否か判定する（ｓ９）。例えば、ｓ７において算出された通信保証装置間距離が１００ｃｍである場合、ｓ５において算出される装置間距離が１００ｃｍ以内であれば、判定肯定となり、１００ｃｍより長ければ判定否となる。
【００６５】
装置間距離が通信保証装置間距離以内であれば、制御部２は、表示部８を制御してLCD８Aにおいて操作範囲内である旨の表示をし（図１参照、ｓ１０）、本処理を終了する。「操作範囲内である旨の表示」は、例えば「操作範囲内」、又は「操作可能範囲」の表示である。図１においては、LCD８Aにおいて「操作可能範囲」と表示している。
【００６６】
逆に、装置間距離が通信保証装置間距離以内でなければ、つまり装置間距離が通信保証装置間距離より長ければ、制御部２は、表示部８を制御してLCD８Aにおいて操作範囲外である旨の表示をし（ｓ１１）、本処理を終了する。「操作範囲外である旨の表示」は、例えば「操作範囲外」、又は「もう少し近づけて下さい」の表示である。
【００６７】
以上より、通信が保証される範囲をユーザに通知することができる。
【００６８】
そのため、装置間距離が短ければ十分にリモコン操作が可能である場合に、バッテリ交換を報知することがなくなる。従って、装置間距離が短ければまだ使用できるバッテリが廃棄されることがなくなり、エネルギーの無駄を防止できる。
【００６９】
また、装置間距離が長いためにキー操作のレスポンスが悪くなっても、ユーザは通信を保証する距離（通信保証装置間距離）まで装置本体を移動させれば該レスポンスを復活させることができる。そのため、ユーザがキー操作に過剰な力を加えたりすることがなくなり、キーの導電性が劣化するという問題も生じなくなる。
【００７０】
また、バッテリが低下してくると、ユーザはその低下にあわせて装置間距離を縮めていくことになるため、ユーザに体感的に電池交換を促すことができる。
【００７１】
ｓ４において、受信部１０で応答信号が受信されていないと判定すると、制御部２は、ｓ３において時間を計測し始めてから一定時間が経過したか否かを判定する（ｓ１２）。一定時間は、該時間以上応答信号が返信されなければ送信エラーが発生したと擬制できる時間に予め設定すればよく、例えば５秒である。送信エラーが発生する場合とは、例えばD−ＴＶ２０の電源がオフされている場合、装置間距離が長すぎて応答要求信号がD−ＴＶ２０に到達しなかった場合である。
【００７２】
ｓ１２において、一定時間が経過していないと判定すると、制御部２は、ｓ４に戻り処理を継続する。
【００７３】
一方、一定時間が経過していると判定すると、制御部２は、表示部８を制御してLCD８Aにおいて送信エラーである旨の表示をし（ｓ１３）、本処理を終了する。送信エラーである旨の表示は、双方向リモコン装置１とD−ＴＶ２０との通信が保証されるか否かを測定できなかったことを意味する表示であり、例えば「送信エラー」又は「測定エラー」を表示する。
【図面の簡単な説明】
【００７４】
【図１】本発明の実施形態である双方向リモコン装置のシステム構成図
【図２】本発明の実施形態である双方向リモコン装置のブロック図
【図３】本発明の実施形態である双方向リモコン装置のバッテリ電圧と領域との関係を示す図
【図４】本発明の実施形態である双方向リモコン装置のバッテリ電圧が属する領域と通信保証装置間距離との関係を示す図
【図５】本発明の実施形態である双方向リモコン装置において制御部が行う動作を示すフローチャート
【符号の説明】
【００７５】
１−双方向リモコン装置
２−制御部
３−操作部
４−ＲＯＭ
５−メモリ
６−ＲＡＭ
７−送信部
８−表示部
９−キー
１０−受信部
１１−バッテリ
２０−ディジタルテレビジョン
２１−受信部
２２−送信部
【図１】
2006339716.tif 000003
【図２】
2006339716.tif 000004
【図３】
2006339716.tif 000005
【図４】
2006339716.tif 000006
【図５】
2006339716.tif 000007